(57)【要約】【課題】種々の大きさの化学発光体を装着することができ、使い勝手のよいルアーを提供する。【解決手段】ルアー本体１０の上部に、前後方向に沿う保持部２１（２２）を設け、保持部２１（２２）に棒状の化学発光体３０を保持したルアー１であって、保持部２１（２２）に、化学発光体３０を軸方向に直交する方向から挟持して抜け止め係止する係止部を設けた構成とした。また、保持部は、ルアー本体１０の前後方向に沿ってルアー本体１０に固定された固定部材２３に設けた。【選択図】図１
2012029621.tif 000002
【特許請求の範囲】
【請求項１】
ルアー本体の上部に、前後方向に沿う保持部を設け、前記保持部に棒状の化学発光体を保持したルアーであって、
前記保持部に、前記化学発光体を軸方向に直交する方向から挟持して抜け止め係止する係止部を設けたことを特徴とするルアー。
【請求項２】
前記保持部は、前記ルアー本体の前後方向に沿って前記ルアー本体に固定された固定部材に設けられていることを特徴とする請求項１に記載のルアー。
【請求項３】
前記保持部は、前記ルアー本体の前後方向に間隔を空けて少なくとも２つ配置されており、
前記２つの保持部のうち一方の保持部は、キャップ状に形成されて、前記化学発光体の軸方向における一端部を保持することを特徴とする請求項１または請求項２に記載のルアー。
【請求項４】
前記保持部はＯリングで構成されていることを特徴とする請求項１から請求項３のいずれか１項に記載のルアー。
【請求項５】
前記保持部は、前記ルアー本体の前後方向に沿って上方へ向けて突設された対向壁部からなり、
前記対向壁部間で前記化学発光体を挟持可能としたことを特徴とする請求項１から請求項４に記載のルアー。
【発明の詳細な説明】
【技術分野】
【０００１】
本発明は、魚釣りに用いるルアーに関し、特に、夜、早朝、夕方等の時間帯において視認性に優れたルアーに関するものである。
【背景技術】
【０００２】
従来、夜、早朝、夕方等の暗い時間帯に使用されるルアーとして、視認性を高めるために化学発光体を具備したものが知られている（例えば、特許文献１，２参照）。
特許文献１のルアーでは、ルアー本体に穴が形成されており、この穴に棒状の化学発光体が挿し込まれて装着されるように構成されている。
【０００３】
また、特許文献２のルアーでは、ルアー本体の上部に化学発光体を収容する空洞部材が取り付けられ、この空洞部材の両端部が栓で閉じられるように構成されている。
このような化学発光体を使用したルアーでは、化学発光体の発光により、ルアーがどこにあるのか把握し易く、狙うべきポイントに好適にルアーを投擲することができる。また、ルアーの位置を把握し易いので、根がかりに起因するルアーの紛失も好適に回避することができる。
【先行技術文献】
【特許文献】
【０００４】
【特許文献１】登録実用新案第３０５００３７号公報
【特許文献２】特開平６−１３４６６号公報
【発明の概要】
【発明が解決しようとする課題】
【０００５】
しかしながら、特許文献１のルアーでは、ルアー本体に形成された穴に棒状の化学発光体が挿し込まれて装着される構成であるので、穴の径にフィットする化学発光体しか挿し込むことができず、穴の径に対応しない化学発光体は使用することができなかった。化学発光体の大部分が隠れてしまい視認性に劣っていた。
また、特許文献２のルアーでは、空洞部材に化学発光体を挿入して栓で閉じる構成であるので、空洞部材よりも太径の化学発光体は挿入することができなかった。また、空洞部材内に収まらない長さを備えた化学発光体も使用することができず、限られた化学発光体しか使用することができなかった。
【０００６】
本発明は、このような問題を解決するためになされたものであり、種々の大きさの化学発光体を装着することができ、使い勝手のよいルアーを提供することを課題とする。
【課題を解決するための手段】
【０００７】
このような課題を解決する本発明のルアーは、ルアー本体の上部に、前後方向に沿う保持部を設け、前記保持部に棒状の化学発光体を保持したルアーであって、前記保持部に、前記化学発光体を軸方向に直交する方向から挟持して抜け止め係止する係止部を設けたことを特徴とする。
ここで、「ルアー本体の上部」には、例えば、ルアー本体に固定される部材を介してルアー本体の上部から間隔を空けた「ルアー本体の上方空間」も含まれる。
また、ルアー本体の前後方向とは、リトリーブ時におけるルアーの姿勢を基準として、進行方向に向く側を前とし、これとは反対方向に向く側を後としたときの方向である。
【０００８】
このルアーによれば、ルアー本体の前後方向に沿う保持部に、棒状の化学発光体を保持することができる。保持部に設けられた係止部は、化学発光体を軸方向に直交する方向から挟持して抜け止め係止するようになっているので、化学発光体を、軸方向（長さ方向）から規制することなく保持することができる。
【０００９】
また、本発明は、前記保持部は、前記ルアー本体の前後方向に沿って前記ルアー本体に固定された固定部材に設けられていることを特徴とする。
【００１０】
このルアーによれば、保持部を固定部材に一体的に設けることができる。また、固定部材に沿うようにして化学発光体を保持することができる。
【００１１】
また、本発明は、前記保持部は、前記ルアー本体の前後方向に間隔を空けて少なくとも２つ配置されており、前記２つの保持部のうち一方の保持部は、キャップ状に形成されて、前記化学発光体の軸方向における一端部を保持することを特徴とする。
【００１２】
このルアーによれば、キャップ状の保持部に挿入するだけで化学発光体の軸方向の一端部を保持することができる。また、化学発光体の装着時には、キャップ状の保持部に化学発光体の軸方向の一端部を挿入して保持しておいてから、他方の保持部で他端部側を挟持するという装着手法を採ることができる。
【００１３】
また、本発明は、前記保持部がＯリングで構成されていることを特徴とする。
【００１４】
このルアーによれば、化学発光体をＯリングの弾性を利用して挟持することができる。
【発明の効果】
【００１５】
本発明によれば、保持部に設けられた係止部は、化学発光体を軸方向に直交する方向から挟持して抜け止め係止するようになっているので、軸方向（長さ方向）から規制することなく挟持することができ、太さの異なる化学発光体も、化学発光体の軸方向に直交する方向から柔軟に挟持することができる。
また、化学発光体を軸方向（長さ方向）から規制することなく保持することができるので、軸方向に長く形成された化学発光体もその中間部分等を軸方向に直交する方向から好適に挟持することができる。したがって、太さや長さの異なる種々の化学発光体を装着することができ、視認性に優れて使い勝手のよいルアーが得られる。
【００１６】
また、保持部を固定部材に一体的に設けることができるので、保持部と固定部材とが組み付けられたものを１つの部品として扱うことができ、組み付けが簡単になるとともに、生産性が高まる。また、固定部材に沿わせるようにして棒状の化学発光体を保持することができるので、装着性がよく、また、装着後は、化学発光体に沿う固定部材を化学発光体を保持するための保持部材として機能させることも可能となり、化学発光体の脱落し難い保持構造が得られる。したがって、化学発光体の紛失を好適に回避して手返しが向上され、使い勝手のよいルアーが得られる。
【００１７】
また、２つの保持部のうち一方の保持部がキャップ状に形成されたものにおいては、キャップ状の保持部に挿入するだけで化学発光体の軸方向の一端部を保持することができ、化学発光体の装着性がよい。また、化学発光体の装着時には、キャップ状の保持部に化学発光体の軸方向の一端部を挿入して保持しておいてから、他方の保持部に他端部側を装着してこれを挟持するという装着手法を採ることができるので、装着時に不意に外れて脱落してしまうようなことがなくなり、装着性が向上する。
【００１８】
また、保持部がＯリングで構成されているものにおいては、化学発光体をＯリングの弾性を利用して挟持することができ、装着性に優れるとともに、取り外し性にも優れる。
また、軸方向の滑り止め効果が高まり、化学発光体の脱落を好適に防止することができる。
【図面の簡単な説明】
【００１９】
【図１】本発明の第１実施形態に係るルアーを示した図であり、（ａ）は斜視図、（ｂ）は正面図、（ｃ）は側面図、（ｄ）は図１（ｃ）の側面図に対する平面図である。
【図２】（ａ）は図１（ａ）のＡ−Ａ線矢視における保持部の保持の様子を示した模式拡大断面図、（ｂ）は挟持の様子を示した模式拡大断面図、（ｃ）は変形例の保持部における保持の様子を示した模式拡大断面図、（ｄ）は同じく挟持の様子を示した模式拡大断面図、（ｅ）は変形例の保持部における保持の様子を示した模式拡大断面図、（ｆ）は同じく挟持の様子を示した模式拡大断面図、（ｇ）（ｆ）は、変形例の保持手段を示す側面図である。
【図３】本発明の第２実施形態に係るルアーの要部を示した図であり、（ａ）は拡大斜視図、（ｂ）は部分断面図である。
【図４】本発明の第３実施形態に係るルアーの要部を示した図であり、（ａ）は拡大斜視図、（ｂ）は変形例の構造を示す拡大断面図、（ｃ）（ｄ）は装着時の様子を示す拡大断面図である。
【図５】本発明に係るルアーのその他の例を示す図であり、（ａ）は要部の斜視図、（ｂ）（ｃ）は取付時の様子を示す断面図である。
【図６】（ａ）〜（ｃ）は本発明に係るルアーのその他の例を示す要部の斜視図、（ｄ）はその他の例を示す断面図、（ｅ）は図６（ｄ）に示した例の装着時の様子を示す断面図である。
【発明を実施するための形態】
【００２０】
以下、本発明に係るルアーの実施の形態について図面を参照しながら説明する。各実施形態において、同一の部分には同一の符号を付し、重複する説明は省略する。以下の説明において、ルアーの方向を言うときは、図１（ａ）に示した方向を基準として説明する。
【００２１】
（第１実施形態）
図１各図に示すように、ルアー１は、外形を虫に似せて形成されたルアー本体１０と、ルアー本体１０の前側に設けられた保持手段２０と、この保持手段２０に保持された化学発光体３０と、を備えて構成されている。
ルアー本体１０は、リトリーブ時に進行方向に向く前側、およびこれとは反対方向に向く後側がともに流線型とされており、前端下面１０ａ（図１（ｃ）参照、以下同じ）にカップ１１が取り付けられている。また、図１（ｃ）に示すように、ルアー本体１０の下部１０ｂには、取付金具１２，１２を介して前後に２つのフック１３，１３が取り付けられている。
【００２２】
カップ１１は、左右方向に膨出する平面視で略長丸形状（図１（ｄ）参照）とされており、中央部１１ａが、図１（ｂ）に示すように、２本のねじ１１ｂでルアー本体１０の前端下面１０ａに固着されている。
本実施形態では、このカップ１１の中央部１１ａとルアー本体１０の前端下面１０ａとの間に、保持手段２０を構成する固定部材２３の固定部２３ｂが挟持されて固定されている。
また、カップ１１の先端部１１ｃは前方へ突出しており、この部分にアイ１１ｄが取り付けられている。
このようなカップ１１は、リトリーブ時に前側から流れこむ水を左右それぞれの方向へ排出するように作用し、これによって、ルアー本体１０に独特の揺れを生じさせたり、音を生じさせるようになっている。
【００２３】
保持手段２０は、保持部２１，２２と、保持部２１，２２を連結して固定する固定部材２３と、を備えており、ルアー本体１０の前側上部の上方となる視認性のよい位置において化学発光体３０を保持（挟持）するように構成されている。本実施形態では、１枚の可撓性を有する金属板を切断および折り曲げ加工することで、保持部２１，２２および固定部材２３が一体的に形成されている。なお、樹脂材によって保持手段２０を形成することもできる。
【００２４】
保持部２１，２２は、ルアー本体１０の前後方向に間隔を空けて配置されており、図１各図に示すように、化学発光体３０の軸方向の一端部側（前端側）および他端部側（後端側）を挟持して保持する。
保持部２１，２２は、同一の形状とされており、ここでは、説明の便宜上、後側の保持部２２について説明し、必要に応じて前側の保持部２１について説明する。
保持部２２は、図２（ａ）に示すように、正面視で略コ字形状を呈しており、化学発光体３０の軸方向に直交する方向（本実施形態では左右方向）から化学発光体３０の外周面に当接可能であり、化学発光体３０を左右方向から挟持可能である。
【００２５】
ここで、保持部２２の高さをＨ１とし、化学発光体３０の直径をＤ１とすると、これらの関係がＨ１＞Ｄ１となるように設定されており、固定部材２３に当接する位置まで化学発光体３０が挿し込まれることで、保持部２２は、図２（ｂ）に示すように、化学発光体３０の上側に向けて折り曲げ可能な折り曲げ代２２ａを有するようになっている。
本実施形態では、保持部２２（化学発光体３０の外周面に当接する部位）、および折り曲げ代２２ａが、化学発光体３０を軸方向に直交する方向から挟持して抜け止め係止する係止部として機能するようになっている。
なお、保持部２２の高さＨ１および化学発光体３０の直径Ｄ１は、必ずしも前記した関係（Ｈ１＞Ｄ１）となるように設定する必要はなく、例えば、保持部２２の高さＨ１を化学発光体３０の半径（Ｄ１／２）よりも若干大きくなる程度に設定して、保持部２２の先端部で化学発光体３０を加締めるようにして保持してもよい。また、折り曲げ代２２ａを化学発光体３０の外周面に向けて折り曲げることなく、保持部２２を化学発光体３０の外周面に当接させるだけで、化学発光体３０を挟持して保持してもよい。
【００２６】
固定部材２３は、図１（ｃ）に示すように、ルアー本体１０の上面形状に対応した緩やかな湾曲形状とされており、前方へ延設された延設部２３ａを有している。延設部２３ａは、ルアー本体１０の前端下面１０ａに向けて折り返されており、ルアー本体１０の前端下面１０ａとカップ１１の中央部１１ａとの間に介設される平板状の固定部２３ｂを形成している。
固定部２３ｂには、図１（ｂ）に示すように、ねじ１１ｂ，１１ｂに対応した位置に、ねじ１１ｂ，１１ｂを挿通可能とする切欠き２３ｃ，２３ｃが形成されている。これにより、ルアー本体１０の前端下面１０ａとカップ１１の中央部１１ａとの間に固定部２３ｂを挟んで、カップ１１の下方からねじ１１ｂ，１１ｂを螺合することで、ルアー本体１０の前端下面１０ａに保持手段２０とカップ１１とを一緒に固定することができるようになっている。
【００２７】
また、固定部材２３の後端部２４は、図１（ａ）（ｄ）に示すように、左右方向に二股に形成されているとともに、図１（ｃ）に示すように、上方へ一段高くなるように形成されている。このように形成することによって、保持部２２を超えて後方へ長く延びるような全長を有する化学発光体３０（図２（ｈ）参照）を、下側から包むようにして好適に保持することができる。これにより、安定した化学発光体３０の保持が可能となる。
【００２８】
なお、図１（ｃ）に示すように、固定部材２３は、ルアー本体１０の上面との間に隙間Ｓを有して配置されており、リトリーブ時等に生じる振動でルアー本体１０の上面へ接触することが防止されている。これによって、ルアー本体１０の上面が金属製の固定部材２３によって傷付くことがない。なお、隙間Ｓを積極的に狭く形成して、リトリーブ時等に生じる振動で固定部材２３がルアー本体１０の上面に当接するようにして音を生じるように構成してもよい。
【００２９】
化学発光体３０は、細長い棒状とされ、可撓性を有する略円筒状の合成樹脂製容器内に２種類の液体が充填されてなり、使用時に容器を曲げて２種類の液体を混合させることで化学発光を生じるものである。化学発光体３０は、例えば、釣具店やホームセンター等で販売されているものを挙げることができる。
このような化学発光体３０は、軸方向の一端部側（前端側）および他端部側（後端側）を保持部２１，２２の開口から保持部２１，２２にそれぞれ挿し込むことで、保持手段２０に装着される。
【００３０】
ここで、保持部２１，２２は、前記したように、保持部２２の高さＨ１と化学発光体３０の直径Ｄ１との関係が、Ｈ１＞Ｄ１となるように設定されているので、図２（ｂ）に示すように、化学発光体３０を固定部材２３に当接する位置まで挿し込むことで、保持部２２（２１）の上端部を折り曲げ代２２ａ（図２（ｂ）において点線で図示）として利用することが可能となり、図２（ｂ）に実線で示すように、この折り曲げ代２２ａを化学発光体３０の上側に向けて加締めることができる。
これにより、化学発光体３０の上側部分が保持部２２（２１）の上端部（折り曲げ代２２ａ）で部分的に覆われるようにして保持され、これによって、保持部２２（２１）内に化学発光体３０がしっかりと挟持されることとなる。
【００３１】
以上説明した本実施形態のルアー１によれば、２つの保持部２１，２２によって、ルアー本体１０の前後方向に間隔を空けた２点で棒状の化学発光体３０を保持することができる。２つの保持部２１，２２は、化学発光体３０の軸方向に直交する方向から化学発光体３０を挟持するように構成されているので、化学発光体３０を、軸方向（長さ方向）から規制することなく保持することができる。したがって、太さの異なる化学発光体３０も、化学発光体３０の軸方向に直交する方向から柔軟に挟持することができる。
また、化学発光体３０を、軸方向（長さ方向）から規制することなく保持することができるので、軸方向に長く形成された化学発光体３０もその中間部分等を軸方向に直交する方向から好適に挟持することができる。したがって、太さや長さの異なる種々の化学発光体３０を装着することができ、視認性に優れて使い勝手のよいルアー１が得られる。
【００３２】
また、化学発光体３０は、下部側を除いて、保持部２１，２２で隠れる部分以外の部分が露出している。したがって、視認性に優れて使い勝手のよいルアー１が得られる。
また、化学発光体３０は、保持部２１，２２に挿し込まれて挟持されるので、装着および取り外しが簡単であり、同様の保持手段２０を備えた別のルアー１に対して、化学発光体３０を付け替えることも可能となって、経済的である。
また、ルアー本体１０に化学発光体３０を挟持するための構造を直接設ける必要がないので、ルアー本体１０の金型変更が必要とならず、従来の金型をそのまま利用することができて、経済的である。
【００３３】
また、２つの保持部２１，２２を固定部材２３を介して一体的に設けることができるので、２つの保持部２１，２２と固定部材２３とが組み付けられたもの（保持手段２０）を１つの部品として扱うことができ、組み付けが簡単になるとともに、生産性が高まる。
また、固定部材２３に沿わせるようにして棒状の化学発光体３０を保持することができるので、装着性がよく、また、装着後は、化学発光体３０に沿う固定部材２３を化学発光体３０を保持するための保持部材として機能させることも可能となり、化学発光体３０の脱落し難い保持構造が得られる。したがって、化学発光体３０の紛失を好適に回避して手返しが向上され、使い勝手のよいルアー１が得られる。
【００３４】
なお、前記実施形態では、保持部２１，２２を正面視で略コ字形状としたが、これに限られることはなく、例えば、図２（ｃ）に示すように、正面視で略Ｕ字形状となるようにしてもよい。この場合には、固定部材２３も保持部２１，２２に対応して、湾曲凹形状とすることが望ましい。このように略Ｕ字形状とされた保持部２１，２２では、図２（ｄ）に示すように、折り曲げ代２２ａを化学発光体３０に外周面に対応させて湾曲させてもよいし、図２（ｂ）に示すように、折り曲げて加締めてもよい。
このように正面視で略Ｕ字形状とされた保持部２１，２２とすることにより、保持部２１，２２と化学発光体３０との接触面積を増やすことができ、化学発光体３０がより脱落し難い保持構造とすることができる。
【００３５】
また、図２（ｅ）（ｆ）に示すように、外方に弾性変形可能な保持部２１，２２に突出部２２ｂ，２２ｂ（係止部として機能する部分）を設けて、この突出部２２ｂ，２２ｂで保持部２１，２２内に挿し込まれた化学発光体３０を弾性的に押さえるように構成してもよい。
【００３６】
なお、保持手段２０は、延設部２３ａに固定部２３ｂを設けて、これをルアー本体１０に固定するようにしたが、これに限られることはなく、固定部２３ｂを設けることなく、延設部２３ａをルアー本体１０の上面に、ねじ等で直接固定するように構成してもよい。この場合、固定部材２３の後端を後方へ向けて延設し、この延設した部分をルアー本体１０の上面に、ねじ等で直接固定するように構成してもよい。
【００３７】
また、固定部材２３は、ルアー本体１０の形状に合わせて、図２（ｇ）に示すように直線状としてもよく、また、図２（ｈ）に示すように、湾曲状の度合いを高めて、可撓性を有する化学発光体３０が固定部材２３上に湾曲した状態で保持されるように構成してもよい。このように湾曲した状態で保持されるようにした場合でも、保持部２２を超えて後方へ長く延びるような全長を有する化学発光体３０を、後端部２４で下側から包むようにして好適に保持することができる。
【００３８】
（第２実施形態）
図３（ａ）（ｂ）に本発明の第２実施形態のルアーの要部を示す。
本実施形態に係るルアーが前記第１実施形態と異なるところは、保持手段２０の保持部として、合成ゴム製のＯリング４０，４０を用いた点にある。
図３（ａ）に示すように、Ｏリング４０，４０は、ルアー本体１０（不図示）の前後方向に間隔を空けて固定部材２３にそれぞれ取り付けられている。
【００３９】
固定部材２３においてＯリング４０，４０を取り付ける位置には、プレス加工等によって、下方へ膨出形成された保持片２３ｄ，２３ｄが設けられている。保持片２３ｄは、図３（ｂ）に示すように、固定部材２３の下面との間に開口２３ｅを有しており、Ｏリング４０は、この開口２３ｅを通じて固定部材２３の下面と保持片２３ｄの上面との間に挟み込まれて保持されるようになっている。
【００４０】
固定部材２３に取り付けられた状態で、Ｏリング４０，４０の内側には、その弾性を利用して化学発光体３０を挿通することが可能であり、Ｏリング４０，４０は、化学発光体３０の軸方向の一端部側（前端側）および他端部側（後端側）を挟持可能である。本実施形態では、Ｏリング４０の内周部が特許請求の範囲にいう係止部として機能する。
【００４１】
本実施形態によれば、化学発光体３０をＯリング４０，４０の弾性を利用して挟持することができ、化学発光体３０の装着性に優れるとともに、取り外し性にも優れるという利点が得られる。
また、軸方向の滑り止め効果が高まり、化学発光体３０の脱落を好適に防止することができる。
なお、保持片２３ｄ，２３ｄの開口２３ｅは、前方へ向けて形成されているので、取り外し性を有しながらも、リトリーブ時の水流を受けて外れるおそれがない。
【００４２】
（第３実施形態）
図４（ａ）に本発明の第３実施形態のルアーの要部を示す。
本実施形態に係るルアー１が前記第１実施形態と異なるところは、保持手段２０が、リング状の保持部４１，４２を備えて構成されている点にある。
リング状の保持部４１，４２は、ルアー本体１０（不図示）の前後方向に間隔を空けて固定部材２３にそれぞれ設けられており、化学発光体３０の軸方向の一端部側（前端側）および他端部側（後端側）を保持可能である。保持部４１，４２の内径は、装着されることが想定される化学発光体３０のうち、最大の直径（外径）を備えた化学発光体３０の直径よりも大きくなるように設定されており、保持部４１，４２の内側には、挿通される化学発光体３０との間に隙間Ｓ２（保持した際に生じる隙間）が形成されるようにしてある。
【００４３】
固定部材２３は、上方へ湾曲形成されており、保持部４１，４２に挿通された化学発光体３０を湾曲した状態で保持するように構成してある。
【００４４】
このような保持手段２０において、保持部４１，４２に化学発光体３０を挿通して保持すると、図４（ｂ）に示すように、固定部材２３上で保持部４１，４２に挿通された化学発光体３０が湾曲した状態となり、各保持部４１，４２において、上下の開口縁部４１ａ，４２ａ（係止部として機能する部分）が、化学発光体３０の外周面にそれぞれ対角状に喰い込むようにして当接（挟持）する。これによって、各保持部４１，４２において化学発光体３０が挟持されるように保持されることとなる。
【００４５】
本実施形態によれば、化学発光体３０可撓性、弾性を利用し、各保持部４１，４２に挟持されるようにして、太さや長さの異なる種々の化学発光体３０を装着することができる。これにより、視認性に優れて使い勝手のよいルアー１が得られる。
【００４６】
図４（ｃ）（ｄ）に第３実施形態の変形例を示す。
この例では、図４（ｃ）に示すように、保持部４１，４２の軸方向内側位置にＯリング４３，４３がそれぞれ配置され、保持部４１，４２に化学発光体３０を保持する際に、これらのＯリング４３，４３を化学発光体３０に外嵌するようにしたものである。
このような保持手段２０において、化学発光体３０に外嵌したＯリング４３，４３は、図４（ｄ）に示すように、各保持部４１，４２の内側に移動させて留めおかれるようにする。
【００４７】
このようなＯリング４３，４３を用いることにより、化学発光体３０の軸方向の移動が好適に抑えられるようになり、化学発光体３０の脱落をより効果的に防止することができる。
【００４８】
なお、Ｏリング４３，４２は、保持部４１，４２の内側面に当接する外径を有するものとしたが、これに限られることはなく、保持部４１，４２と化学発光体３０との間に形成される隙間Ｓ２の大きさによっては、隙間Ｓ２にＯリング４３，４３の一部が入り込むようにして留めおかれるようにしてもよい。この場合にはＯリング４３，４３が係止部として機能することとなる。
【００４９】
図５，図６に保持手段のその他の例を示す。
図５（ａ）に示す例では、ルアー本体１０の前端上面に前後方向に延びる凹溝１４を形成し、この凹溝１４内に正面視略Ｕ字形状の保持部２１Ａ，２２Ａを配置したものである。
凹溝１４は、化学発光体３０を収容可能な大きさを有しており、保持部２２Ａ（２１Ａ）は、収容後に、上端部２２ａ’（図５（ｃ）参照）を化学発光体３０の外周に向けて加締めてもよい。
なお、長さの短い化学発光体３０Ａを収容する際には、図５（ａ）に示すように、凹溝１４内の略中央部に追加の保持部２５を配置して、例えば、保持部２５と保持部２２Ａとで化学発光体３０Ａを保持するようにしてもよい。
【００５０】
図６（ａ）に示す例では、固定部材２３の後端部側にキャップ状の保持部２６を設け、この保持部２６に化学発光体３０の後端部を挿入して保持するようにしたものである。
保持部２６は、化学発光体３０の後端部を挿入可能な大きさを有しており、化学発光体３０の後端部を保持できる程度に、化学発光体３０の後端部の外径よりも大きくされた内径を有している。
【００５１】
この例では、キャップ状の保持部２６の内側２６ｂに挿入するだけで化学発光体３０の後端部を保持することができ、化学発光体３０の装着性がよい。また、化学発光体３０の装着時には、保持部２６に化学発光体３０の後端部を挿入して保持しておいてから、他方の保持部２１に前端部側を装着してこれを挟持するという装着手法を採ることができるので、装着時に不意に外れて脱落してしまうようなことがなくなり、装着性が向上する。
なお、これとは逆に、固定部材２３の前側にキャップ状の保持部２６を設け、後側に保持部２２を設けてもよい。
【００５２】
また、図６（ｂ）に示す例は、保持部がルアー本体１０の前後方向に沿って上方へ向けて突設された金属製や樹脂製の対向壁部２１ｃ，２１ｃからなり、対向壁部２１ｃ，２１ｃ間で化学発光体３０を挟持可能としたものである。対向壁部２１ｃ，２１ｃは、ルアー本体１０の上部に図示しないねじや接着剤を用いて直接固定されている。対向壁部２１ｃ，２１ｃには、内側へ突出する突出部２１ｄ，２１ｄ（係止部として機能する部分）が設けられており、この突出部２１ｄ，２１ｄで、対向壁部２１ｃ，２１ｃ内に挿し込まれた化学発光体３０を抜け止め可能に係止することができるようになっている。
この例においても、太さや長さの異なる種々の化学発光体３０を装着することができ、視認性に優れて使い勝手のよいルアー１が得られる。
【００５３】
また、図６（ｃ）に示す例は、ルアー本体１０の前端上面に前後方向に延びる凹溝１４ａ（保持部）を形成し、この凹溝１４ａ内に化学発光体３０を収容した後に、係止部として機能するバンド２８，２８を化学発光体３０の上に係止したものである。バンド２８は、接着剤や貼付によって取付可能であり、化学発光体３０の軸方向に直交する方向（上方向）から凹溝１４ａ内に化学発光体３０を押え付けるようにして挟持し、凹溝１４ａ内に化学発光体３０を抜け止め係止する。
なお、凹溝１４ａの前後方向の中央部分の１箇所で、バンド２８ａによって係止してもよく、また、長さの短い化学発光体３０（不図示）を収容する際等に、バンド２８ａを利用してもよい。
この例においても、太さや長さの異なる種々の化学発光体３０を装着することができ、視認性に優れて使い勝手のよいルアー１が得られる。
【００５４】
さらに、図６（ｄ）（ｅ）に示す例では、ルアー本体１０（例えば樹脂製）に一体的に保持部２７，２７を突設し、この内面に突起２７ａ，２７ａをそれぞれ設けたものである。
この例においても、太さや長さの異なる種々の化学発光体３０を装着することができ、視認性に優れて使い勝手のよいルアー１が得られる。
また、突起２７ａ，２７ｂで保持部２１，２２内に挿し込まれた化学発光体３０を押さえることができ、化学発光体３０の脱落を好適に防止することができる。
【００５５】
なお、前記した各実施形態や変形例等において、保持部２１，２２等の大きさや間隔を適宜変更することによって、さらに種々の太さや長さを備えた化学発光体３０を好適に装着することができる。
【００５６】
また、正面視略Ｕ字形状に形成した保持部をルアー本体１０の前端上面に、前後方向にそれぞれ直接取り付けて、太さや長さの異なる種々の化学発光体３０を装着するようにしてもよい。
また、正面視略Ｕ字形状に形成した保持部とキャップ状に形成した保持部２６Ｂ（図６（ａ）参照）とをルアー本体１０の前端上面に、前後方向にそれぞれ直接取り付けて、太さや長さの異なる種々の化学発光体３０を装着するようにしてもよい。
【符号の説明】
【００５７】
１      ルアー
１０    ルアー本体
１４    凹溝
２０    保持手段
２１，２２    保持部
２１Ａ，２２Ａ，２１Ｂ  保持部
２２ａ  折り曲げ代
２３    固定部材
２５，２６，２６Ｂ，２７，４１  保持部
３０，３０Ａ  化学発光体
４０    Ｏリング
【図１】
2012029621.tif 000003
【図２】
2012029621.tif 000004
【図３】
2012029621.tif 000005
【図４】
2012029621.tif 000006
【図５】
2012029621.tif 000007
【図６】
2012029621.tif 000008